(57)【要約】【課題】刈取装置で刈り取った長稈が前部搬送装置からフィードチェンにスムーズに受け継がれるものとして収穫作業を円滑に継続出来るようにする。【解決手段】機体の前部に設けた刈取装置（４）で植立穀稈の株元を刈り取り、この刈り取った穀稈を株元搬送装置（１０）と穂先搬送装置（１１）からなる前部搬送装置（１２）で搬送して脱穀装置（３）のフィードチェン（１３）に引き継いで脱穀するコンバインにおいて、前部搬送装置（１２）とフィードチェン（１３）の側部に排稈の株元側を支持する株元案内具（１８）を設ける。また、株元案内具（１８）を、フィードチェン（１３）の先端部の側部に臨む部位で機体から大きく側方へ張り出し、フィードチェン（１３）の終端部の側部に臨む部位で機体に近づけて配置する。【選択図】図２
2012115158.tif 000002
【特許請求の範囲】
【請求項１】
機体の前部に設けた刈取装置（４）で植立穀稈の株元を刈り取り、この刈り取った穀稈を株元搬送装置（１０）と穂先搬送装置（１１）からなる前部搬送装置（１２）で搬送して脱穀装置（３）のフィードチェン（１３）に引き継いで脱穀するコンバインにおいて、前記前部搬送装置（１２）とフィードチェン（１３）の側部に排稈の株元側を支持する株元案内具（１８）を設けてなるコンバイン。
【請求項２】
前記株元案内具（１８）を、フィードチェン（１３）の先端部の側部に臨む部位で機体から大きく側方へ張り出し、フィードチェン（１３）の終端部の側部に臨む部位で機体に近づけて配置したことを特徴とする請求項１に記載のコンバイン。
【請求項３】
前記株元案内具（１８）を前ガイド杆（１８ｂ）と後ガイド杆（１８ｃ）に分割し、該前ガイド杆（１８ｂ）と後ガイド杆（１８ｃ）を連結部（１８ａ）で屈曲可能に連結し、前ガイド杆（１８ｂ）と後ガイド杆（１８ｃ）を屈曲させて機体に沿わせて収納できる構成としたことを特徴とする請求項２に記載のコンバイン。
【請求項４】
前記前ガイド杆（１８ｂ）の先端を、前記株元搬送装置（１０）の下方で且つ刈刃（９）で刈り取った穀稈の株元が合流する位置において刈取装置（４）を支持する刈取メインフレーム（１４）に固定の前取付具（２０ａ）に取り付け、前ガイド杆（１８ｂ）の中間部を脱穀装置（３）の脱穀フレームから側方へ張り出した中間支持具（２０ｂ）で支持し、前ガイド杆（１８ｂ）の後端部を、脱穀装置（３）の後側に備えるカッター（１７）のカッターフレームから張り出す後取付具（２０ｃ）に取り付けたことを特徴とする請求項３に記載のコンバイン。
【請求項５】
前記前ガイド杆（１８ｂ）を、前取付具（２０ａ）に取り付けた先端部から中間支持具（２０ｂ）との取付部に向けて側方へ張り出し、さらに後端に向けて緩やかに機体内方に向かわせることで、平面視において中間部を最も側方へ張り出し、側面視において株元搬送装置（１０）とフィードチェン（１３）に沿わせて、先端から後端へ向かって登り傾斜させて、株元搬送装置（１０）とフィードチェン（１３）によって搬送される穀稈の株元の移動軌跡に沿わせたことを特徴とする請求項４に記載のコンバイン。
【発明の詳細な説明】
【技術分野】
【０００１】
本発明は、圃場に植生する稲や麦などの穀稈を刈り取って脱穀するコンバインに関する。
【背景技術】
【０００２】
コンバインは、機体の前部に設ける刈取装置で株元を刈り取り、この穀稈を前部搬送装置で搬送して脱穀装置のフィードチェンに引き継ぎ、このフィードチェンで搬送しながら穂先を扱胴で脱穀し、脱穀済の排稈をカッターで截断したり束に結束したりして圃場へ放出する。
【０００３】
この脱穀装置で脱穀する穀稈は、穂先位置が扱胴の適正位置を通過するようにフィードチェンで挟持しているが、穀稈が長いと株元がフィードチェから外側方へ垂れ下がって搬送姿勢が乱れて脱穀の途中で詰まりを生じる。その為に、フィードチェンの株元側下部に排稈の株元側を受けて移送し易くする株元案内受け具を設ける技術が、特許文献１に開示されている。
【先行技術文献】
【特許文献】
【０００４】
【特許文献１】特開平８−１６３９１８号公報
【発明の概要】
【発明が解決しようとする課題】
【０００５】
前記従来技術に記載の株元案内受け具は、棒状の案内杆をフィードチェンの株元側の側方下部に設けたものであるが、コンバインは、前部搬送装置で株元を持上げながらフィードチェンに受け渡すので、この際に穀稈の株元側がが垂れ下がっていると前記株元案内受け具の上に株元側が載らず、かえって株元案内受け具の下側に入って搬送の支障になることが有る。
【０００６】
よって、本発明では、コンバインの刈取装置で刈り取った特に長い穀稈が前部搬送装置からフィードチェンにスムーズに受け継がれて収穫作業を継続出来るようにすることを目的とする。
【課題を解決するための手段】
【０００７】
上記本発明の課題は、次の技術手段により解決される。
請求項１に記載の発明は、機体の前部に設けた刈取装置（４）で植立穀稈の株元を刈り取り、この刈り取った穀稈を株元搬送装置（１０）と穂先搬送装置（１１）からなる前部搬送装置（１２）で搬送して脱穀装置（３）のフィードチェン（１３）に引き継いで脱穀するコンバインにおいて、前記前部搬送装置（１２）とフィードチェン（１３）の側部に排稈の株元側を支持する株元案内具（１８）を設けてなるコンバインとした。
【０００８】
請求項２に記載の発明は、前記株元案内具（１８）を、フィードチェン（１３）の先端部の側部に臨む部位で機体から大きく側方へ張り出し、フィードチェン（１３）の終端部の側部に臨む部位で機体に近づけて配置したことを特徴とする請求項１に記載のコンバインとした。
【０００９】
請求項３に記載の発明は、前記株元案内具（１８）を前ガイド杆（１８ｂ）と後ガイド杆（１８ｃ）に分割し、該前ガイド杆（１８ｂ）と後ガイド杆（１８ｃ）を連結部（１８ａ）で屈曲可能に連結し、前ガイド杆（１８ｂ）と後ガイド杆（１８ｃ）を屈曲させて機体に沿わせて収納できる構成としたことを特徴とする請求項２に記載のコンバインとした。
【００１０】
請求項４に記載の発明は、前記前ガイド杆（１８ｂ）の先端を、前記株元搬送装置（１０）の下方で且つ刈刃（９）で刈り取った穀稈の株元が合流する位置において刈取装置（４）を支持する刈取メインフレーム（１４）に固定の前取付具（２０ａ）に取り付け、前ガイド杆（１８ｂ）の中間部を脱穀装置（３）の脱穀フレームから側方へ張り出した中間支持具（２０ｂ）で支持し、前ガイド杆（１８ｂ）の後端部を、脱穀装置（３）の後側に備えるカッター（１７）のカッターフレームから張り出す後取付具（２０ｃ）に取り付けたことを特徴とする請求項３に記載のコンバインとした。
【００１１】
請求項５に記載の発明は、前記前ガイド杆（１８ｂ）を、前取付具（２０ａ）に取り付けた先端部から中間支持具（２０ｂ）との取付部に向けて側方へ張り出し、さらに後端に向けて緩やかに機体内方に向かわせることで、平面視において中間部を最も側方へ張り出し、側面視において株元搬送装置（１０）とフィードチェン（１３）に沿わせて、先端から後端へ向かって登り傾斜させて、株元搬送装置（１０）とフィードチェン（１３）によって搬送される穀稈の株元の移動軌跡に沿わせたことを特徴とする請求項４に記載のコンバインとした。
【発明の効果】
【００１２】
請求項１に記載の発明によれば、前部搬送装置（１２）からフィードチェン（１３）へ引き継がれて搬送される長稈を、その株元側がフィードチェン（１３）から外側方へ垂れ下がらないように株元案内具（１８）で支持することで、脱穀作業を円滑に行なうことができる。
【００１３】
請求項２に記載の発明によれば、上記請求項１に記載の発明の効果に加え、株元案内具（１８）によって未刈り側の植立穀稈が機体に引っ掛かりにくくなり、刈取作業を円滑に行なうことができる。
【００１４】
請求項３に記載の発明によれば、上記請求項２に記載の発明の効果に加え、側方に張り出す株元案内具（１８）を機体に沿わせた収納位置にして納屋等の格納場所へ容易に格納することができる。
【００１５】
請求項４に記載の発明によれば、上記請求項３に記載の発明の効果に加え、株元案内具（１８）の支持剛性が高まることで穀稈の株元側の支持が安定し、脱穀作業を円滑に行なうことができる。
【００１６】
請求項５に記載の発明によれば、上記請求項４に記載の発明の効果に加え、穀稈の株元端部が走行クローラに引っ掛かったり圃場に接触したりしにくくなり、刈取脱穀作業を安定して継続することができる。
【図面の簡単な説明】
【００１７】
【図１】コンバインの全体左側面図である。
【図２】コンバインの全体平面図である。
【図３】株元案内具の前ガイド杆１と後ガイド杆の連結部の第一実施例である。
【図４】株元案内具の前ガイド杆１と後ガイド杆の連結部の第二実施例である。
【図５】株元案内具の前ガイド杆１と後ガイド杆の連結部の第三実施例である。
【発明を実施するための形態】
【００１８】
以下、本発明の実施形態を図面に示す実施例を参照しながら説明する。
このコンバインは走行車体１に左右一対の走行クローラ２，２を備え、後部に搭載した脱穀装置３の前方部に刈取装置４を設置し、刈取装置４の後横側部には運転席５や操作ボックス６等の運転操作部を備え、更に、その運転操作部の後方には脱穀した穀粒を一時的に貯留するグレンタンク２１を装備している。
【００１９】
刈取装置４は、圃場に植立する穀稈を条毎に分草する分草体７，７…と、分草後の穀稈を引き起す３条の穀稈引起し装置８，８，８と、引起し後の穀稈の株元近くを切断して穀稈を刈り取る刈刃９で構成し、この刈取装置４を経て穀稈の株元側を挟持搬送する株元搬送装置１０と穂先側を挟持搬送する穂先搬送装置１１からなる前部搬送装置１２で後方へ搬送し、その穀稈を脱穀装置３のフィードチェン１３に引き継いで受け渡して脱穀する。
【００２０】
刈刃９はバリカン型のものであり、刈取装置４を支持する刈取メインフレーム１４の下端部から前方に突出する先端部フレーム１９に配設され、穀稈引起し装置８で倒れた穀稈が引き起こし作用を受け、株元側が掻込装置による掻き込み作用を受けている状態の植立穀稈の株元近くを切断するように構成されている。
【００２１】
左側の分草体７には後方ほど側方へ張り出すナローガイド１５を設けて、未刈穀稈を走行クローラ２が踏まないように側方へ押し退けるようにしている。
刈取装置４は、刈取メインフレーム１４により走行車体１に対し刈取昇降シリンダで上下に昇降可能に装備されているものである。
【００２２】
フィードチェン１３は、挟持杆１６との間に穀稈を挟持して後方へ送り穂先側を脱穀装置３の扱胴で脱穀し、脱穀後の排稈を排稈搬送装置（図示省略）でカッター１７に送り込み、短く切断して圃場へ放出する。
【００２３】
フィードチェン１３の外側には、このフィードチェン１３から側方へ張り出す株元案内具１８を設けて、長い穀稈の株元側を受けてガイドしてフィードチェン１３による搬送がスムーズに行われるようにしている。
【００２４】
この株元案内具１８は前ガイド杆１８ｂと後ガイド杆１８ｃを連結部１８ａで屈曲可能に連結した杆状体で、先端を株元搬送装置１０下方でかつ刈刃９が刈り取った穀稈の株元が合流する位置で刈取メインフレーム１４に固定の前取付具２０ａに取り付け、中間を脱穀フレームから張り出す中間支持具２０ｂで支持し、後端部をカッターフレームから張り出す後取付具２０ｃに取り付け、前取付具２０ａに取り付けた先端から中間支持具２０ｂとの取付部に向けて側方へ張り出し、さらに後端に向けて緩やかに機体内方に向かっていて、平面視で中間部が最も側方へ張り出し、側面視で株元搬送装置１０とフィードチェン１３に沿わせて、先端から後端へ向かって登り傾斜させて、株元搬送装置１０とフィードチェン１３が移送する穀稈株元の移動軌跡に沿わせて、株元端部が走行クローラ２に引っ掛かったり圃場に接触したりしないようにしている。なお、中間支持具２０ｂは、脱穀装置３の脱穀入口３ａより前に設け、後取付具２０ｃはフィードチェン１３の後端よりも後に設けている。なお、株元案内具１８は、帯鉄で構成する板状体であっても良い。
【００２５】
株元案内具１８の中間支持具２０ｂに向かう途中のフィードチェン１３前端側方位置で、連結部１８ａは屈曲可能にし、中間支持具２０ｂと後取付具２０ｃを上下方向に折り曲げ可能にして、脱穀を行わない場合に、株元案内具１８を機体に沿わせて収納可能にしている。
【００２６】
なお、連結部１８ａは図３の如く、弾力性の有る丸棒２３と鋼管２４で伸縮及び回動可能にしたり、図４の如くコイルスプリング２５で構成したり、図５の如く蛇腹連結材２６で構成したりして、伸縮及び回動可能にする。
【００２７】
収穫作業は、機体を走行させて分草体７を植立する穀稈の株元に分け入らせて穀稈引起し装置８で倒れた穀稈を引き起こしながら刈刃９で株元を刈り、株元搬送装置１０と穂先搬送装置１１で穀稈を横倒しにしながらフィードチェン１３に受け渡す。フィードチェン１３と挟持杆１６で挟持されて脱穀装置３に挿入された穀稈の穂先が脱穀・選別されてグレンタンク２１に穀粒が貯留され、グレンタンク２１が満杯になるとオーガ２２で運送タンクへ移される。
【００２８】
機体左側の分草体７で掻き分けられる未刈穀稈はナローガイド１５で側方へ押しやられて走行クローラ２で踏み付けないようにされる。
また、刈取穀稈が長くて株元搬送装置１０とフィードチェン１３から株元端が長く突出する場合には、株元案内具１８を側方へ引き出して株元を受けてガイドするようにすることで、穀稈の後方への移送をスムーズに行うことができる。
【符号の説明】
【００２９】
３    脱穀装置
４    刈取装置
９    刈刃
１０    株元搬送装置
１１    穂先搬送装置
１２    前部搬送装置
１３    フィードチェン
１４    刈取メインフレーム
１７    カッター
１８    株元案内具
１８ａ  連結部
１８ｂ  前ガイド杆
１８ｃ  後ガイド杆
２０ａ  前取付具
２０ｂ  中間支持具
２０ｃ  後取付具
【図１】
2012115158.tif 000003
【図２】
2012115158.tif 000004
【図３】
2012115158.tif 000005
【図４】
2012115158.tif 000006
【図５】
2012115158.tif 000007